【手続補正書】
【提出日】平成15年9月19日(2003.9.19)
【手続補正１】
【補正対象書類名】明細書
【補正対象項目名】特許請求の範囲
【補正方法】変更
【補正の内容】
【特許請求の範囲】
【請求項１】
ディスク上に形成されているグルーブをうねらせて記録したウォブル信号を再生するウォブル信号再生回路において、
プッシュプル信号を算出する演算回路と、
該演算回路の出力からウォブル周波数成分を抽出する帯域通過フィルタと、
前記演算回路の前段または内部に配置されたAGC回路と、
前記グルーブとグルーブの間に設けられたランド部にピットを形成したランドプリピット領域を検出するランドプリピット検出手段と、を有し、
前記ランドプリピット検出手段の検出信号に基づいて、前記ランドプリピット領域再生時に前記AGC回路のゲインを固定、または、前記AGC回路の応答時定数を切り替えることで、ランドプリピット領域直前の再生値を保持することを特徴とするウォブル信号再生回路。
【請求項２】
ディスク上に形成されているグルーブをうねらせて記録したウォブル信号を再生するウォブル信号再生回路において、
プッシュプル信号を算出する演算回路と、
該演算回路の出力からウォブル周波数成分を抽出する帯域通過フィルタと、
前記演算回路の前段または内部に配置されたAGC回路と、
前記グルーブがトラック上で分断されてランド部となり、その部分にアドレスが形成されたアドレス情報記録領域を検出するアドレス情報記録領域検出手段と、を有し、
前記アドレス情報記録領域検出手段の検出信号に基づいて、前記アドレス情報記録領域再生時に前記AGC回路のゲインを固定、または、前記AGC回路の応答時定数を切り替えることで、ランドプリピット領域直前の再生値を保持することを特徴とするウォブル信号再生回路。
【請求項３】
請求項２記載において
プッシュプル信号からウォブル信号を抽出する帯域通過フィルタの出力に第2のAGC回路を具備し、前記アドレス情報記録領域再生時に前記AGC回路および第２のAGC回路のゲインを固定、または前記AGC回路および前記第2のAGC回路の応答時定数を切り替えることを特徴とするウォブル信号再生回路。
【請求項４】
請求項１記載のウォブル信号再生回路において、
再生するディスクの傷、または指紋を検出する手段を具備し、
該手段の検出信号と、前記ランドプリピット検出手段の検出信号とのＯＲ演算出力により、 前記AGC回路のゲインを固定、または前記AGC回路の応答時定数を切り替えることを特徴とするウォブル信号再生回路。
【請求項５】
請求項３記載のウォブル信号再生回路において、
再生するディスクの傷、または指紋を検出する手段を具備し、
該手段の検出信号と、前記アドレス情報記録領域検出手段の検出信号とのＯＲ演算出力により、 前記AGC回路および第２のAGC回路のゲインを固定、または前記AGC回路および第2のAGC回路の応答時定数を切り替えることを特徴とするウォブル信号再生回路。
【請求項６】
請求項１記載のウォブル信号再生回路において、
前記ランドプリピット検出手段は、ランドプリピット領域位置に対応した検出信号、もしくは該検出信号とディスクの回転速度に同期して得られるクロックから生成される信号でランドプリピット記録領域を検出することを特徴とするウォブル信号再生回路。
【請求項７】
請求項２記載のウォブル信号再生回路において、
アドレス情報記録領域検出手段は、アドレス情報記録領域位置に対応した検出信号、もしくは該検出信号とウォブル再生信号で生成される信号、もしくは該出力信号とディスクの回転速度に同期して得られるクロックから生成される信号でアドレス情報記録領域を検出することを特徴とするウォブル信号再生回路。
【請求項８】
ディスク上に形成されているグルーブをうねらせて記録したウォブル信号を再生するウォブル信号再生回路において、
プッシュプル信号を算出する演算回路と、
該演算回路の出力からウォブル周波数成分を抽出する帯域通過フィルタとを有し、
該帯域通過フィルタは、通過周波数帯域がディスクの回転速度に同期して得られるクロックの周波数に略比例しており、該通過周波数帯域と該クロックの周波数との比例係数を変化させることができるように構成されていることを特徴とするウォブル信号再生回路。
【請求項９】
請求項８記載のウォブル信号再生回路において、
ディスク上の傷、または指紋を検出する傷検出回路を具備し、
傷検出時に前記帯域通過フィルタの通過周波数帯域を固定する機能を具備することを特徴とするウォブル信号再生回路。
【請求項１０】
請求項８記載のウォブル信号再生回路において、
ディスクの回転速度に同期して得られるクロックの周波数を計測し、通常再生時に該周波数が大きく変動した際に前記帯域通過フィルタの通過周波数帯域を固定する機能を具備することを特徴とするウォブル信号再生回路。
【請求項１１】
ディスク上に形成されているグルーブをうねらせて記録したウォブル信号を再生するウォブル信号再生回路において、
プッシュプル信号を算出する演算回路と、
前記演算回路の前段または内部に配置されたAGC回路と、
該演算回路の出力からウォブル周波数成分を抽出する帯域通過フィルタと、を有し、
前記演算回路は、前記グルーブとグルーブの間で情報に設けられたランド部にピットを形成したランドプリピット領域のランドプリピット信号を通過させる帯域を持ち、前記演算回路の出力をランドプリピット信号とするランドプリピット検出手段を具備し、前記アドレス情報記録領域検出手段の検出信号に基づいて、前記アドレス情報記録領域再生時に前記AGC回路のゲインを固定、または、前記AGC回路の応答時定数を切り替えることで、ランドプリピット領域直前の再生値を保持することを特徴とするウォブル信号再生回路。
【請求項１２】
ディスク上に形成されているグルーブをうねらせて記録したウォブル信号を再生するウォブル信号再生回路において、
プッシュプル信号を算出する演算回路と、
前記演算回路の前段または内部に配置されたAGC回路と、
該演算回路の出力からウォブル周波数成分を抽出する帯域通過フィルタと、
前記演算回路の出力から前記帯域通過フィルタの出力を減算する減算回路と、を有し、
前記演算回路および減算回路は、前記グルーブとグルーブに設けられたランド部にピットを形成したランドプリピット領域のランドプリピット信号を通過させる帯域を持ち、前記減算回路の出力をランドプリピット信号とするランドプリピット検出手段を具備し、前記アドレス情報記録領域検出手段の検出信号に基づいて、前記アドレス情報記録領域再生時に前記AGC回路のゲインを固定、または、前記AGC回路の応答時定数を切り替えることで、ランドプリピット領域直前の再生値を保持することを特徴とするウォブル信号再生回路。
【手続補正２】
【補正対象書類名】明細書
【補正対象項目名】００１４
【補正方法】変更
【補正の内容】
【００１４】
【課題を解決するための手段】
上記課題を解決するために、ディスク上に形成されているグルーブをうねらせて記録したウォブル信号を再生するウォブル信号再生回路において、プッシュプル信号を算出する演算回路と、該演算回路の出力からウォブル周波数成分を抽出する帯域通過フィルタと、前記演算回路の前段または内部に配置されたAGC回路と、前記グルーブとグルーブの間に設けられたランド部にピットが形成されたランドプリピット領域を検出するランドプリピット検出手段と、を有し、前記ランドプリピット検出手段の検出信号に基づいて、前記ランドプリピット領域再生時に前記AGC回路のゲインを固定、または、前記AGC回路の応答時定数を切り替えることで、ランドプリピット領域直前の再生値を保持する構成とする。


【手続補正３】
【補正対象書類名】明細書
【補正対象項目名】００１５
【補正方法】変更
【補正の内容】
【００１５】
また、前記グルーブがトラック上で分断されてランド部となり、その部分にアドレスが形成されたアドレス情報記録領域を検出するアドレス情報記録領域検出手段と、を有し、前記アドレス情報記録領域検出手段の検出信号に基づいて、前記アドレス情報記録領域再生時に前記AGC回路のゲインを固定、または、前記AGC回路の応答時定数を切り替えることで、ランドプリピット領域直前の再生値を保持する構成とする。さらに、プッシュプル信号からウォブル信号を抽出する帯域通過フィルタの出力に第2のAGC回路を具備し、前記アドレス情報記録領域再生時に前記AGC回路および第２のAGC回路のゲインを固定、または前記AGC回路および前記第2のAGC回路の応答時定数を切り替える構成とする。